(57)【要約】【課題】  画像中の所望の色の色調整を、色の知覚効果を利用して容易にかつ効率的に行うことができる画像処理装置及びその制御方法、プログラムを提供する。【解決手段】  処理対象の画像をディスプレイに１３に表示する。処理対象の画像中の調整対象色を操作部１２によって指定する。指定された少なくとも２つの調整対象色を表示する調整色表示部と、該少なくとも２つの調整対象色による色の知覚効果を考慮した色調整操作を実現する調整色操作部を有するユーザインタフェースをディスプレイ１３に表示制御する。【選択図】  図１
2005148951.tif 000002
【特許請求の範囲】
【請求項１】
処理対象の画像内の部分的な配色を調整する配色調整処理を行う画像処理装置であって、
前記処理対象の画像を表示する表示手段と、
前記処理対象の画像中の調整対象色を指定する指定手段と、
前記指定手段で指定された少なくとも２つの調整対象色を表示する調整色表示部と、該少なくとも２つの調整対象色による色の知覚効果を考慮した色調整操作を実現する調整色操作部を有するユーザインタフェースを前記表示手段に表示制御する表示制御手段と
を備えることを特徴とする画像処理装置。
【請求項２】
前記調整色操作部は、前記少なくとも２つの調整対象色による色の知覚効果を確認するためのシンボルを表示するシンボル表示部と、該少なくとも２つの調整対象色それぞれの色を調整する色調整部を有する
ことを特徴とする請求項１に記載の画像処理装置。
【請求項３】
前記表示制御手段は、前記ユーザインタフェースにおいて、前記調整色表示部と前記シンボル表示部とを少なくとも対比表示する
ことを特徴とする請求項２に記載の画像処理装置。
【請求項４】
前記色調整部は、前記色の知覚効果の強弱に直接影響を与える色の明度、彩度、色相を調整することで、前記少なくとも２つの調整対象色それぞれの色を調整する
ことを特徴とする請求項１に記載の画像処理装置。
【請求項５】
前記調整色表示部は、前記指定手段で指定された少なくとも２色をそれぞれ表示する第１矩形領域を有する
ことを特徴とする請求項１に記載の画像処理装置。
【請求項６】
前記調整色操作部は、前記少なくとも２つの調整対象色による色の知覚効果を確認するためのシンボルを表示するシンボル表示部と、該少なくとも２つの調整対象色それぞれの色を調整する色調整部を有し、
前記シンボルは、前記第１矩形領域の表示面積の所定比率の表示面積を有する第２矩形領域である
ことを特徴とする請求項５に記載の画像処理装置。
【請求項７】
前記シンボルは、更に、前記第２矩形領域の背景シンボルとして、該第２矩形領域を包含し、かつ該第２矩形領域それぞれで表示される調整対象色とは異なる調整対象色を有する、前記第１矩形領域と同一表示面積の第３矩形領域を有する
ことを特徴とする請求項６に記載の画像処理装置。
【請求項８】
前記シンボルは、前記第１矩形領域と同一表示面積の第３矩形領域と、該第３矩形領域の前部に、該第３矩形領域で表示される調整対象色とは異なる調整対象色を有するスリット矩形領域を有する
ことを特徴とする請求項５に記載の画像処理装置。
【請求項９】
前記表示制御手段は、前記色調整部による調整に基づいて、前記処理対象の画像、前記調整色表示部及び前記シンボル表示部の表示状態を更新する
ことを特徴とする請求項２に記載の画像処理装置。
【請求項１０】
処理対象の画像内の部分的な配色を調整する配色調整処理を行う画像処理装置の制御方法であって、
前記処理対象の画像を表示部に表示する表示工程と、
前記処理対象の画像中の調整対象色を指定する指定工程と、
前記指定工程で指定された少なくとも２つの調整対象色を表示する調整色表示部と、該少なくとも２つの調整対象色による色の知覚効果を考慮した色調整操作を実現する調整色操作部を有するユーザインタフェースを前記表示部に表示制御する表示制御工程と
を備えることを特徴とする画像処理装置の制御方法。
【請求項１１】
処理対象の画像内の部分的な配色を調整する配色調整処理を行う画像処理装置の制御を実現するプログラムであって、
前記処理対象の画像を表示部に表示する表示工程のプログラムコードと、
前記処理対象の画像中の調整対象色を指定する指定工程のプログラムコードと、
前記指定工程で指定された少なくとも２つの調整対象色を表示する調整色表示部と、該少なくとも２つの調整対象色による色の知覚効果を考慮した色調整操作を実現する調整色操作部を有するユーザインタフェースを前記表示部に表示制御する表示制御工程のプログラムコードと
を備えることを特徴とするプログラム。
【発明の詳細な説明】
【技術分野】
【０００１】
本発明は、処理対象の画像内の部分的な配色を調整する配色調整処理を行う画像処理装置及びその制御方法、プログラムに関するものである。
【背景技術】
【０００２】
近年、コンピュータを用いてイラスト作成やＷｅｂページのデザイン等を行うグラフィックソフトウェアが普及している。コンピュータを用いて作成するイラストやＷｅｂページのデザイン等の画像で、配色を調整しようとする場合、それぞれの色を個別に参照ながら、調整を行っても、隣接色や背景色との間に生じる様々な色の知覚効果の影響のために、単色で考慮して設定した色が、画像内では、想定した見えにならない場合がある。
【０００３】
このような場合、該当する色やその周辺色に対して、個別の再調整を行うことになるが、従来のグラフィックアプリケーションのような単色に対する色指定と色調整では、それぞれの色指定を切り替えながら、個別に調整する必要があり、目的の色の見えを実現するためには多くの労力を要する。
【０００４】
このような問題に対処する装置や方法としては、例えば、特許文献１〜３がある。
【０００５】
特許文献１は、カラー画像に含まれている任意の色を抽出して所定の色に修正する方法に関し、調整後の画像に調整前の画像の自然さを保存する技術が開示されている。
【０００６】
また、特許文献２は、オーサリングツール等による編集画面上のステージに貼り付けられるイメージ画の配色を適切かつ簡単に調整する技術が開示されている。
【０００７】
特許文献３は、既存画像を、元の画像の色を自動的に反映させて、色彩調和のとれた画像に変換する技術が開示されている。
【特許文献１】特開平０５−１１９７５２号公報
【特許文献２】特開平９−６５７３号公報
【特許文献３】特開２００２−３１４８２５号公報
【発明の開示】
【発明が解決しようとする課題】
【０００８】
しかしながら、上記従来技術では、いずれも、画像全体、または、選択領域内の色を半自動、または、自動調整を行うためのものであり、調整対象の色の周辺色や隣接色を考慮した色調整を実現するものではない。そのため、調整色とその色の周辺色や隣接色間の色の知覚効果が考慮されないので、意図した色調整を効率的にかつ適切に行うことができなかった。
【０００９】
本発明は上記の課題を解決するためになされたものであり、画像中の所望の色の色調整を、色の知覚効果を利用して容易にかつ効率的に行うことができる画像処理装置及びその制御方法、プログラムを提供することを目的とする。
【課題を解決するための手段】
【００１０】
上記の目的を達成するための本発明による画像処理装置は以下の構成を備える。即ち、
処理対象の画像内の部分的な配色を調整する配色調整処理を行う画像処理装置であって、
前記処理対象の画像を表示する表示手段と、
前記処理対象の画像中の調整対象色を指定する指定手段と、
前記指定手段で指定された少なくとも２つの調整対象色を表示する調整色表示部と、該少なくとも２つの調整対象色による色の知覚効果を考慮した色調整操作を実現する調整色操作部を有するユーザインタフェースを前記表示手段に表示制御する表示制御手段と
を備える。
【００１１】
また、好ましくは、前記調整色操作部は、前記少なくとも２つの調整対象色による色の知覚効果を確認するためのシンボルを表示するシンボル表示部と、該少なくとも２つの調整対象色それぞれの色を調整する色調整部を有する。
【００１２】
また、好ましくは、前記表示制御手段は、前記ユーザインタフェースにおいて、前記調整色表示部と前記シンボル表示部とを少なくとも対比表示する。
【００１３】
また、好ましくは、前記色調整部は、前記色の知覚効果の強弱に直接影響を与える色の明度、彩度、色相を調整することで、前記少なくとも２つの調整対象色それぞれの色を調整する。
【００１４】
また、好ましくは、前記調整色表示部は、前記指定手段で指定された少なくとも２色をそれぞれ表示する第１矩形領域を有する。
【００１５】
また、好ましくは、前記調整色操作部は、前記少なくとも２つの調整対象色による色の知覚効果を確認するためのシンボルを表示するシンボル表示部と、該少なくとも２つの調整対象色それぞれの色を調整する色調整部を有し、
前記シンボルは、前記第１矩形領域の表示面積の所定比率の表示面積を有する第２矩形領域である。
【００１６】
また、好ましくは、前記シンボルは、更に、前記第２矩形領域の背景シンボルとして、該第２矩形領域を包含し、かつ該第２矩形領域それぞれで表示される調整対象色とは異なる調整対象色を有する、前記第１矩形領域と同一表示面積の第３矩形領域を有する。
【００１７】
また、好ましくは、前記シンボルは、前記第１矩形領域と同一表示面積の第３矩形領域と、該第３矩形領域の前部に、該第３矩形領域で表示される調整対象色とは異なる調整対象色を有するスリット矩形領域を有する。
【００１８】
また、好ましくは、前記表示制御手段は、前記色調整部による調整に基づいて、前記処理対象の画像、前記調整色表示部及び前記シンボル表示部の表示状態を更新する。
【００１９】
上記の目的を達成するための本発明による画像処理装置の制御方法は以下の構成を備える。即ち、
処理対象の画像内の部分的な配色を調整する配色調整処理を行う画像処理装置の制御方法であって、
前記処理対象の画像を表示部に表示する表示工程と、
前記処理対象の画像中の調整対象色を指定する指定工程と、
前記指定工程で指定された少なくとも２つの調整対象色を表示する調整色表示部と、該少なくとも２つの調整対象色による色の知覚効果を考慮した色調整操作を実現する調整色操作部を有するユーザインタフェースを前記表示部に表示制御する表示制御工程と
を備える。
【００２０】
上記の目的を達成するための本発明によるプログラムは以下の構成を備える。即ち、
処理対象の画像内の部分的な配色を調整する配色調整処理を行う画像処理装置の制御を実現するプログラムであって、
前記処理対象の画像を表示部に表示する表示工程のプログラムコードと、
前記処理対象の画像中の調整対象色を指定する指定工程のプログラムコードと、
前記指定工程で指定された少なくとも２つの調整対象色を表示する調整色表示部と、該少なくとも２つの調整対象色による色の知覚効果を考慮した色調整操作を実現する調整色操作部を有するユーザインタフェースを前記表示部に表示制御する表示制御工程のプログラムコードと
を備える。
【発明の効果】
【００２１】
本発明によれば、画像中の所望の色の色調整を、色の知覚効果を利用して容易にかつ効率的に行うことができる画像処理装置及びその制御方法、プログラムを提供できる。
【発明を実施するための最良の形態】
【００２２】
以下、本発明の実施の形態について図面を用いて詳細に説明する。
【００２３】
図１は本発明の実施形態の配色調整システムの構成図である。
【００２４】
特に、図１では、表示装置の編集画面上で画像内の部分的な配色を調整する場合の配色調整システムの構成例を示している。
【００２５】
図１に示す配色調整システムでは、後述の画像表示ウインドウ及び配色調整ウインドウを表示するディスプレイ１１と、操作者が選択操作を行うための操作部１２と、プログラムが記録された記憶装置１３と、この記憶装置１３に記録されているプログラムを読み出して実行することができるコンピュータ１４とにより構成される。
【００２６】
記憶装置１３には、画像表示ウインドウでの画像表示を実現するためのプログラムや、操作者がディスプレイ１１で表示される画像表示ウインドウ内の特定色を操作部１２で指定操作を行った際、その指定操作に対応する色を調整対象色として配色調整ウインドウ内の調整色表示部に表示し、この指定された色を操作者によって調整操作可能な対象とし、調整処理を行う等の種々の手順を含むプログラムが記録されている。
【００２７】
また、記憶装置１３には、画像表示ウインドウで表示する各種画像を記憶する画像データベースが構成されている。操作者は、所望の画像を画像データベースから選択して、処理対象の画像を画像表示ウインドウに表示することができる。
【００２８】
尚、コンピュータ１４は、汎用コンピュータに搭載される標準的な構成要素（例えば、ＣＰＵ、ＲＡＭ、ＲＯＭ、ネットワークインタフェース等）を有している。
【００２９】
また、ディスプレイ１は、例えば、液晶、ＣＲＴ、ＦＰＤ等から構成される。また、操作部１２は、キーボードやポインティングデバイス（マウス、入力ペン等）から構成される。また、記憶装置１３は、例えば、ハードディスクが構成されるが、これ以外にも、ＣＤ−ＲＯＭ／Ｒ／ＲＷ、ＤＶＤ−ＲＯＭ／Ｒ／ＲＷ／ＲＡＭ等の外部記憶装置で構成されても良い。
【００３０】
次に、本実施形態の配色調整システムの動作例について、図２を用いて説明する。
【００３１】
図２は本発明の実施形態の配色調整システムの動作例を示す図である。
【００３２】
図２では、ディスプレイ１１上に表示された、画像表示ウインドウ２１及び配色調整ウインドウ２２を示している。
【００３３】
画像表示ウインドウ２１は、コンピュータ１４が記憶装置１３に記録されているプログラムによって、処理対象の画像を生成してディスプレイ１１上に表示したものである。
【００３４】
配色調整ウインドウ２２は、コンピュータ１４が記憶装置１３に記録されているプログラムによって、画像表示ウインドウ２１に表示された画像の配色を調整するためのユーザインタフェースである。この配色調整ウインドウ２２には、処理対象の画像を調整するための調整色を表示する調整色表示部３１と、調整色表示部３１で表示される調整色に基づいて、所望の色を生成する操作を行うための調整色操作部３２が構成されている。
【００３５】
次に、配色調整ウインドウ２１の詳細構成について、図３を用いて説明する。
【００３６】
図３は本発明の実施形態の配色調整ウインドウの詳細構成を示す図である。
【００３７】
配色調整ウインドウ２２において、調整色表示部３１内では、画像表示ウインドウ２１に表示された処理対象の画像内で指定した２色（調整対象色）をそれぞれ表示する矩形領域３１ａ及び３１ｂが表示される。この矩形領域３１ａ及び３１ｂは、それぞれの領域で表示される色の間に、色の知覚効果の影響による色の見えの変化が少なくなるように、領域間の間隔をとって、色の影響の少ない背景色の上に配置して表示される。
【００３８】
調整色操作部３２内では、画像表示ウインドウ２１に表示された処理対象の画像の配色を調整操作するために、調整色表示部３１に表示された２色の調整対象色の色の知覚効果を確認するための各種シンボルを表示するシンボル表示部３３と、画像表示ウインドウ２１に表示された処理対象の画像内で指定した２色の調整対象色のそれぞれについて、明度、彩度、色相の色情報を個別に調整するためのスライダコントロール群３５で構成されている。本実施形態では、調整色の調整に用いる色情報として、特に、操作者の色の知覚効果の強弱に直接影響を与える、明度、彩度、色相を用いているが、これに限定されるものではない。例えば、色情報として、ＲＧＢ値やＹＭＣ値等の他の色情報を用いても構わない。
【００３９】
尚、スライダコントロール群３５それぞれの操作に対応する処理は、記憶装置１３に記録されているプログラムを実行すること実現される。
【００４０】
また、スライダコントロール群３５は、同等の機能を実現できる色調整機能であれば、他の形態のコントロールを用いることが可能である。あるいは、数値に入力による所望の色情報値を入力可能な入力フィールドで、さらには、数値入力フィールドと数値の増減を行う２つのボタンコントロールを組み合わせたスピンコントロールで構成しても良い。
【００４１】
更に、シンボル表示部３３に表示するシンボルは、スクロールバー３４を用いて、表示されていない別の形状のシンボルを表示したり、目的のシンボルを調整色表示部３１の調整対象色と比較しやすいように上下に移動することができる。操作者は、調整色表示部３１に表示された２色の調整対象色と、シンボル表示部３３に表示されたシンボル上の同一色を比較しながら配色の調整を行うことができる。
【００４２】
次に、本実施形態の配色調整処理について、図４を用いて説明する。
【００４３】
図４は本発明の実施形態の配色調整処理を示すフローチャートである。
【００４４】
[調整対象色の指定]
まず、ステップＳ４１で、操作者は、ディスプレイ１１上の画像表示ウインドウ２１内の画像中の調整対象色を操作部１２を介して指定する。
【００４５】
この指定には、例えば、操作部１２としてマウスを用いる場合、画像中の調整対象色が含まれる領域上をクリックすることで実現する。
【００４６】
例えば、図２の画像表示ウインドウ２１内の画像で、楕円内の矩形領域にマウスカーソルをポイントしクリックすることによって、その矩形領域の色が調整対象色となる。
【００４７】
この指定操作に基づいて、配色調整ウインドウ２２の表示状態を、後述する図５の処理で自動的に更新する。
【００４８】
ここで、配色調整ウインドウの表示制御処理について、図５を用いて説明する。
【００４９】
図５は本発明の実施形態の配色調整ウインドウの表示制御処理を示すフローチャートである。
【００５０】
まず、ステップＳ５１で、調整色表示部３１に表示された２色の調整色を表示する矩形領域３１ａ及び３１ｂの表示を更新する。その際、矩形領域３１ｂの表示は、その時点で矩形領域３１ａに表示されている色に更新、その後、矩形領域３１ａの表示は、ステップＳ４１で指定された色に更新する。
【００５１】
この方法によって、調整色の２色を両方ともその場で新しく指定したい場合は、続けて、ステップＳ４１の操作を２回実行することで実現される。一方、前回あるいは最後に指定した色と今回指定する色とを指定したい場合は、ステップＳ４１の操作を１回実行することで実行される。このような操作制御は、調整対象色を有する領域が複数の色の領域と同時に重なっている等の、配色調整を繰り返す必要がある場合の操作性を重視したためであり、必ず、２回の指定操作が必要な動作としてもよい。
【００５２】
続いて、ステップＳ５２で、調整色表示部３１の矩形領域３１ａ及び３１ｂで表示された２色の調整対象色で、シンボル表示部３３で表示されている各種シンボルの表示色を更新する。シンボル表示部３３には、調整色表示部３１の矩形領域３１ａ及び３１ｂで表示された２色の調整対象色との目視比較を容易に行えるようにシンボルを配置するため、調整色表示部３１の矩形領域３１ａ及び３１ｂで表示された２色の調整色とシンボル内の比較対照部分（後述の図６〜図８のシンボル群６１，６２，７２，７４，８１，８３）を縦方向に揃えて並べている。
【００５３】
ここで、シンボルの一例について、図６〜図８を用いて説明する。
【００５４】
図６〜図８は本発明の実施形態のシンボルの一例を示す図である。
【００５５】
図６〜図８で示すシンボルは、色の知覚効果を確認するためのシンボルの具体例を示しており、いずれのシンボルも、何らかの色の知覚効果が目視で判断しやすいようにレイアウトされている。
【００５６】
尚、図６〜図８に示すシンボル例は一例であり、以下に説明する色の知覚効果以外の知覚効果（例えば、マッハ効果、ハーマングリッド効果等）を目視で判断しやすようなシンボルを採用することもできる。
【００５７】
図６は、同一色でも面積の大小で色の見えが変わる面積効果の影響を確認するためのシンボルの例を示している。
【００５８】
特に、シンボル６１及び６２は、調整色表示部３１の矩形領域３１ａ及び３１ｂに表示された２色の調整対象色の表示面積に対して、所定比率（例えば、約２〜５％）の表示面積で調整対象色と同色のシンボルをそれぞれ表示するシンボルである。
【００５９】
但し、シンボル６１及び６２の表示面積を小さくしすぎると、人間の知覚は、明度のみにしか反応しなくなるため、色彩を知覚できる面積を確保するように調整する。
【００６０】
図７は、色相、彩度、明度の対比によって色の見えが変わる対比効果の影響を確認するシンボルの例を示している。
【００６１】
特に、シンボル７２及び７４は、調整色表示部３１の矩形領域３１ａ及び３１ｂに表示された２色の調整対象色の表示面積に対して、所定比率（例えば、約５〜７％）の表示面積で調整対象色と同色のシンボルをそれぞれ表示するシンボルである。
【００６２】
また、それぞれのシンボル７２及び７４の背景色シンボルとして、これらのシンボル７２及び７４を包含し、かつシンボル７２及び７４で表示される調整対象色とは異なるもう一方の調整対象色のシンボル７１及び７３を、調整色表示部３１の矩形領域３１ａ及び３１ｂと同一表示面積で表示する。
【００６３】
図８は、色相、彩度、明度の関係によって色の見えが変わる同化現象（フォン＝ベゾルト効果）の影響を確認するシンボルの例を示している。
【００６４】
特に、シンボル８１及び８３は、調整色表示部３１の矩形領域３１ａ及び３１ｂに表示された２色の調整対象色と同等の表示面積で、調整対象色と同色のシンボルをそれぞれ背景色として表示するシンボルである。また、その前部には、シンボル８１及び８３で表示される調整対象色とは異なるもう一方の調整対象色の色を、等間隔のスリットで構成されるスリット矩形領域からなるシンボル８２及び８４を表示する。
【００６５】
図５の説明に戻る。
【００６６】
続いて、ステップＳ５３で、調整対象色の２色を示す画像データのＲＧＢ値から、ＨＳＶ値（色相、彩度、明度）に変換する。
【００６７】
そして、ステップＳ５４で、調整色操作部３２のスライダコントロール群３５の設定値を、ステップＳ５３での変換で得られたＨＳＶ値で更新する。
【００６８】
更に、図４の説明に戻る。
【００６９】
[調整対象色の配色調整]
操作者が配色調整ウインドウ２２内で、調整色表示部３１の矩形領域３１ａ及び３１ｂに表示された２色の（色の知覚効果の影響が小さい）調整色と、シンボル表示部３３に表示されたシンボルで表示された（色の知覚効果の影響が大きい）調整色とを目視で比較しながら、ステップＳ４２で、調整色操作部３２のスライダコントロール群３５を操作して、ＨＳＶ値のそれぞれについて変化量の調整を行う。
【００７０】
スライダコントロール群３５の操作による調整結果は、調整色表示部３１及びシンボル表示部３３、画像表示ウインドウ２１のそれぞれの同一色部分に反映され、表示が更新される。
【００７１】
このように、表示が更新された調整色表示部３１及びシンボル表示部３３のそれぞれの同一色部分を比較してみることで、色の知覚効果の影響を大小どちらに調整しようとしているかを確認することができるため、さらに調整を進める場合の指針となる。
【００７２】
本実施形態の配色調整では、実際の画像内の色の重なりや面積の違い等が関連しあって生じているさまざまな色の知覚効果をシンボルによって単純化しているため、画像内で直接、配色調整をする場合より、色の知覚効果の影響を取り除いたり、反対に積極的に利用したりすることが容易になり、配色調整の自由度を上げることができる。
【００７３】
例えば、指定した調整対象色の内、片方の色がくすんで見えるような場合の補正をする場合、単純に、その色の彩度を上げても解決しない場合がある。
【００７４】
これに対し、本実施形態では、選択したもう一方の調整対象色との対比効果によって、くすんで見えていないかを調整色表示部３１の矩形領域３１ａ及び３１ｂで表示された調整色と、シンボル表示部３３の各種シンボルで表示された調整色を比較で確認することができる。そして、調整色表示部３１の矩形領域３１ａ及び３１ｂで表示される調整色が目的の色の見えとして問題が無く、一方、シンボル表示部３３の各種シンボルで表示された調整色がくすんで見えるようなら、彩度対比の影響が出ていることがわかり、選択したもう一方の調整色の彩度や明度を調整してみることで、操作者が意図する色を容易に得ることが可能となる。
【００７５】
以上説明したように、本実施形態によれば、処理対象の画像内の任意の２色の配色調整を、色の知覚効果を確認しながら調整することができるため、操作者は、自由度の高い配色調整を容易にかつ効率的に行うことできる。
【００７６】
上記実施形態では、調整対象色として、画像中の２色を指定する構成としているが、用途や目的、画像中の色の構成に応じて、３色以上の色を指定して、配色調整を行う構成としても良い。
【００７７】
以上、実施形態例を詳述したが、本発明は、例えば、システム、装置、方法、プログラムもしくは記憶媒体等としての実施態様をとることが可能であり、具体的には、複数の機器から構成されるシステムに適用しても良いし、また、一つの機器からなる装置に適用しても良い。
【００７８】
尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【００７９】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００８０】
その場合、プログラムの機能を有していれば、オブジェクトコード、インタプリタにより実行されるプログラム、ＯＳに供給するスクリプトデータ等の形態であっても良い。
【００８１】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００８２】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００８３】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００８４】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００８５】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【図面の簡単な説明】
【００８６】
【図１】本発明の実施形態の配色調整システムの構成図である。
【図２】本発明の実施形態の配色調整システムの動作例を示す図である。
【図３】本発明の実施形態の配色調整ウインドウの詳細構成を示す図である。
【図４】本発明の実施形態の配色調整処理を示すフローチャートである。
【図５】本発明の実施形態の配色調整ウインドウの表示制御処理を示すフローチャートである。
【図６】本発明の実施形態のシンボルの一例を示す図である。
【図７】本発明の実施形態のシンボルの一例を示す図である。
【図８】本発明の実施形態のシンボルの一例を示す図である。
【符号の説明】
【００８７】
１１  ディスプレイ
１２  操作部
１３  記憶装置
１４  コンピュータ
２１  画像表示ウインドウ
２２  配色調整ウインドウ
３１  調整色表示部
３２  調整色操作部
３３  シンボル表示部
３４  スクロールバー
【図１】
2005148951.tif 000003
【図２】
2005148951.tif 000004
【図３】
2005148951.tif 000005
【図４】
2005148951.tif 000006
【図５】
2005148951.tif 000007
【図６】
2005148951.tif 000008
【図７】
2005148951.tif 000009
【図８】
2005148951.tif 000010